(57)【要約】【課題】ＧＳＭ方式での音声通信とパケットデータ通信との同時通信（ＤＴＭ通信）をスムーズな接続手順で行う。【解決手段】ＤＴＭ通信を行う際、ＤＬ層１７は、試験対象端末５との音声通話中であるか否かを表す音声通信状態をＧＲＲ層１３に通知する。記憶部１３ａは、シナリオ実行部１８から受けたＤＴＭ通信用メッセージ処理情報を記憶している。ＧＲＲ層１３は、試験対象端末５またはシナリオ実行部１８からパケットデータ通信の要求があったときに、ＤＬ層１７から通知された音声通信状態を確認する。そして、音声通信中である場合は、記憶部１３ａに記憶されたＤＴＭ通信用メッセージ処理情報に応じて無線リソース割当て処理を行う。【選択図】図１
2007208722.tif 000002
【特許請求の範囲】
【請求項１】
ＧＳＭ通信方式で通信を行う試験対象端末（５）に対して音声通信とパケットデータ通信との同時通信であるＤＴＭ通信を行うために、
前記試験対象端末と無線周波数信号により前記音声通信および前記パケットデータ通信を行い音声通信データとパケットデータおよび通信制御メッセージを階層構造の上位層へ出力するＰＨＹ層（１１）と、
前記ＰＨＹ層から出力された前記パケットデータと前記通信制御メッセージを受けてＧＳＭ通信方式におけるデータ通信方式であるＧＰＲＳ方式用の無線リソースの割当て管理を行うと共に、Ｌ３層（１８ｂ）を含み前記試験対象端末との通信の動作手順を記述したシナリオ（１８ａ）の解析結果に応じて前記階層構造の対応する層に対し前記通信制御メッセージを入出力するシナリオ実行部（１８）に前記パケットデータと前記通信制御メッセージを送出するＧＲＲ層（１３）と、
前記音声通信データおよび前記パケットデータを受けて外部接続機器とインタフェースするＴＥ層（１６）と、
回線交換方式による前記音声通信のリンクを制御するＤＬ層（１７）とを有するＤＴＭ通信装置（２）であって、
前記シナリオ実行部から受けたＤＴＭ通信用メッセージ処理情報を記憶する記憶部（１３ａ）を有し、
前記ＤＬ層は、前記試験対象端末との音声通話中であるか否かを表す音声通信状態を前記ＧＲＲ層に通知し、
前記ＧＲＲ層は、前記試験対象端末または前記シナリオ実行部からパケットデータ通信の要求があったときに、前記ＤＬ層から通知された前記音声通信状態を確認し、該音声通信状態が音声通信中である場合は前記記憶部に記憶された前記ＤＴＭ通信用メッセージ処理情報に応じて無線リソース割当て処理を行うことを特徴とするＤＴＭ通信装置。
【請求項２】
前記ＧＲＲ層（１３）は、前記シナリオ実行部（１８）からのパケットデータ通信の要求があったときに、ＤＴＭ通信前に受信したパケットデータを前記記憶部（１３ａ）に記憶することを特徴とする請求項１記載のＤＴＭ通信装置。
【請求項３】
前記パケットデータ通信の要求が前記試験対象端末（５）からの場合、当該要求が前記試験対象端末からのＤＴＭ通信を要求するためのＤＴＭ  Ｒｅｑｕｅｓｔメッセージであることを特徴とする請求項１又は２記載のＤＴＭ通信装置。
【請求項４】
前記パケットデータ通信の要求が前記シナリオ実行部（１８）からの場合、当該要求が前記試験対象端末（５）に送信するパケットデータ通信を行うためのプロトコル起動の要求であるＲｅｑｕｅｓｔ  ＰＤＰ  ｃｏｎｔｅｘｔ  ａｃｔｉｖａｔｉｏｎメッセージであることを特徴とする請求項１又は２記載のＤＴＭ通信装置。
【請求項５】
前記メッセージ処理情報は、Ｐａｃｋｅｔ  Ａｓｓｉｇｎｍｅｎｔメッセージを含むことを特徴とする請求項１〜４の何れかに記載のＤＴＭ通信装置。
【請求項６】
前記ＧＲＲ層（１３）と前記ＴＥ層（１６）との間にあり、前記シナリオ実行部（１８）からの指示に応じて、前記パケットデータの入出力先を前記ＴＥ層または前記シナリオ実行部に切り替え可能なＳＮＤＣＰ層（１５）を備えたことを特徴とする請求項１〜５の何れかに記載のＤＴＭ通信装置。
【請求項７】
ＧＳＭ通信方式で通信を行う試験対象端末（５）に対して音声通信とパケットデータ通信との同時通信であるＤＴＭ通信を行うために、
前記試験対象端末と無線周波数信号により前記音声通信および前記パケットデータ通信を行い音声通信データとパケットデータおよび通信制御メッセージを階層構造の上位層へ出力するＰＨＹ層（１１）と、
前記ＰＨＹ層から出力された前記パケットデータと前記通信制御メッセージを受けてＧＳＭ通信方式におけるデータ通信方式であるＧＰＲＳ方式用の無線リソースの割当て管理を行うと共に、Ｌ３層（１８ｂ）を含み前記試験対象端末との通信の動作手順を記述したシナリオ（１８ａ）の解析結果に応じて前記階層構造の対応する層に対し前記通信制御メッセージを入出力するシナリオ実行部（１８）に前記パケットデータと前記通信制御メッセージを送出するＧＲＲ層（１３）と、
前記音声通信データおよび前記パケットデータを受けて外部接続機器とインタフェースするＴＥ層（１６）と、
回線交換方式による前記音声通信のリンクを制御するＤＬ層（１７）とを有するＤＴＭ通信装置（２）を用いたＤＴＭ通信方法であって、
前記シナリオ実行部から受けたＤＴＭ通信用メッセージ処理情報を記憶部（１３ａ）に記憶するステップと、
前記試験対象端末との音声通話中であるか否かを表す音声通信状態を前記ＤＬ層が前記ＧＲＲ層に通知するステップと、
前記試験対象端末または前記シナリオ実行部からパケットデータ通信の要求があったときに、前記ＧＲＲ層が前記ＤＬ層から通知された前記音声通信状態を確認するステップと、
前記音声通信状態が音声通信中であるときに、前記ＧＲＲ層が前記記憶部に記憶された前記ＤＴＭ通信用メッセージ処理情報に応じて無線リソース割当て処理を行うステップとを含むことを特徴とするＤＴＭ通信方法。
【発明の詳細な説明】
【技術分野】
【０００１】
本発明は、例えば携帯電話や端末装置等の被試験端末の擬似基地局として機能し、特にＧＳＭ（Global System for Mobile communications ）通信方式で通信を行う試験用端末に対して音声通信とパケットデータ通信との同時通信であるＤＴＭ（Dual Transfer Mode）通信を行うことができるＤＴＭ通信装置及び方法に関するものである。
【背景技術】
【０００２】
ＧＳＭ通信方式で通信を行う試験用端末に対して音声通信とパケットデータ通信との同時通信であるＤＴＭ通信を行うための技術として、例えば特許文献１や特許文献２に開示される技術が知られている。
【０００３】
特許文献１には、パケットデータ通信中に、移動局に対して回線交換音声接続を設定すべくメッセージが受信できるように回線交換ページング・メッセージを送信する技術が開示されており、この技術によってネットワーク主導でＤＴＭ通信を実現している。
【０００４】
また、特許文献２には、回線交換音声通信中に、移動局が受信できるようにパケット交換ページング・メッセージを送信する技術が開示されており、この技術によってネットワーク主導でＤＴＭ通信を実現している。
【特許文献１】特表２００３−５３００１８号公報
【特許文献２】特表２００３−５３００４３号公報
【発明の開示】
【発明が解決しようとする課題】
【０００５】
ところで、上述したＤＴＭ通信の規格については、欧州電気通信標準協会（ＥＴＳＩ）ＧＳＭ仕様の３ＧＰＰ  ＴＳ  ０３．５５  ｖｅｒｓｉｏｎ  ８．１．１  Ｒｅｌｅａｓｅ  １９９９で定義されている。
【０００６】
しかしながら、上記３ＧＰＰ  ＴＳ  ０３．５５  ｖｅｒｓｉｏｎ  ８．１．１  Ｒｅｌｅａｓｅ  １９９９には、ＧＳＭ方式での音声通信とパケットデータ通信とを同時に行う際の具体的な階層（以下、レイヤとも言う）間での手順については特別定められておらず、スムーズな接続手順によるＧＳＭ方式でのＤＴＭ通信を実現する技術およびそれを用いたＤＴＭ通信の試験を行う技術が望まれていた。
【０００７】
そこで、本発明は上記問題点に鑑みてなされたものであって、ＧＳＭ方式での音声通信とパケットデータ通信との同時通信（ＤＴＭ通信）をスムーズな接続手順で行うことができるＤＴＭ通信装置及びＤＴＭ通信方法を提供することを目的としている。
【課題を解決するための手段】
【０００８】
上記目的を達成するため、本発明の請求項１に記載されたＤＴＭ通信装置は、ＧＳＭ通信方式で通信を行う試験対象端末５に対して音声通信とパケットデータ通信との同時通信であるＤＴＭ通信を行うために、
前記試験対象端末と無線周波数信号により前記音声通信および前記パケットデータ通信を行い音声通信データとパケットデータおよび通信制御メッセージを階層構造の上位層へ出力するＰＨＹ層１１と、
前記ＰＨＹ層から出力された前記パケットデータと前記通信制御メッセージを受けてＧＳＭ通信方式におけるデータ通信方式であるＧＰＲＳ方式用の無線リソースの割当て管理を行うと共に、Ｌ３層１８ｂを含み前記試験対象端末との通信の動作手順を記述したシナリオ１８ａの解析結果に応じて前記階層構造の対応する層に対し前記通信制御メッセージを入出力するシナリオ実行部１８に前記パケットデータと前記通信制御メッセージを送出するＧＲＲ層１３と、
前記音声通信データおよび前記パケットデータを受けて外部接続機器とインタフェースするＴＥ層１６と、
回線交換方式による前記音声通信のリンクを制御するＤＬ層１７とを有するＤＴＭ通信装置２であって、
前記シナリオ実行部から受けたＤＴＭ通信用メッセージ処理情報を記憶する記憶部１３ａを有し、
前記ＤＬ層は、前記試験対象端末との音声通話中であるか否かを表す音声通信状態を前記ＧＲＲ層に通知し、
前記ＧＲＲ層は、前記試験対象端末または前記シナリオ実行部からパケットデータ通信の要求があったときに、前記ＤＬ層から通知された前記音声通信状態を確認し、該音声通信状態が音声通信中である場合は前記記憶部に記憶された前記ＤＴＭ通信用メッセージ処理情報に応じて無線リソース割当て処理を行うことを特徴とする。
【０００９】
請求項２に記載されたＤＴＭ通信装置は、請求項１記載のＤＴＭ通信装置において、
前記ＧＲＲ層１３は、前記シナリオ実行部１８からのパケットデータ通信の要求があったときに、ＤＴＭ通信前に受信したパケットデータを前記記憶部１３ａに記憶することを特徴とする。
【００１０】
請求項３に記載されたＤＴＭ通信装置は、請求項１又は２記載のＤＴＭ通信装置において、
前記パケットデータ通信の要求が前記試験対象端末５からの場合、当該要求が前記試験対象端末からのＤＴＭ通信を要求するためのＤＴＭ  Ｒｅｑｕｅｓｔメッセージであることを特徴とする。
【００１１】
請求項４に記載されたＤＴＭ通信装置は、請求項１又は２記載のＤＴＭ通信装置において、
前記パケットデータ通信の要求が前記シナリオ実行部１８からの場合、当該要求が前記試験対象端末５に送信するパケットデータ通信を行うためのプロトコル起動の要求であるＲｅｑｕｅｓｔ  ＰＤＰ  ｃｏｎｔｅｘｔ  ａｃｔｉｖａｔｉｏｎメッセージであることを特徴とする。
【００１２】
請求項５に記載されたＤＴＭ通信装置は、請求項１〜４の何れかに記載のＤＴＭ通信装置において、
前記メッセージ処理情報は、Ｐａｃｋｅｔ  Ａｓｓｉｇｎｍｅｎｔメッセージを含むことを特徴とする。
【００１３】
請求項６に記載されたＤＴＭ通信装置は、請求項１〜５の何れかに記載のＤＴＭ通信装置において、
前記ＧＲＲ層１３と前記ＴＥ層１６との間にあり、前記シナリオ実行部１８からの指示に応じて、前記パケットデータの入出力先を前記ＴＥ層または前記シナリオ実行部に切り替え可能なＳＮＤＣＰ層１５を備えたことを特徴とする。
【００１４】
請求項７に記載されたＤＴＭ通信方法は、ＧＳＭ通信方式で通信を行う試験対象端末５に対して音声通信とパケットデータ通信との同時通信であるＤＴＭ通信を行うために、
前記試験対象端末と無線周波数信号により前記音声通信および前記パケットデータ通信を行い音声通信データとパケットデータおよび通信制御メッセージを階層構造の上位層へ出力するＰＨＹ層１１と、
前記ＰＨＹ層から出力された前記パケットデータと前記通信制御メッセージを受けてＧＳＭ通信方式におけるデータ通信方式であるＧＰＲＳ方式用の無線リソースの割当て管理を行うと共に、Ｌ３層１８ｂを含み前記試験対象端末との通信の動作手順を記述したシナリオ１８ａの解析結果に応じて前記階層構造の対応する層に対し前記通信制御メッセージを入出力するシナリオ実行部１８に前記パケットデータと前記通信制御メッセージを送出するＧＲＲ層１３と、
前記音声通信データおよび前記パケットデータを受けて外部接続機器とインタフェースするＴＥ層１６と、
回線交換方式による前記音声通信のリンクを制御するＤＬ層１７とを有するＤＴＭ通信装置２を用いたＤＴＭ通信方法であって、
前記シナリオ実行部から受けたＤＴＭ通信用メッセージ処理情報を記憶部１３ａに記憶するステップと、
前記試験対象端末との音声通話中であるか否かを表す音声通信状態を前記ＤＬ層が前記ＧＲＲ層に通知するステップと、
前記試験対象端末または前記シナリオ実行部からパケットデータ通信の要求があったときに、前記ＧＲＲ層が前記ＤＬ層から通知された前記音声通信状態を確認するステップと、
前記音声通信状態が音声通信中であるときに、前記ＧＲＲ層が前記記憶部に記憶された前記ＤＴＭ通信用メッセージ処理情報に応じて無線リソース割当て処理を行うステップとを含むことを特徴とする。
【発明の効果】
【００１５】
本発明によれば、ＧＲＲ層１３で音声通信状態を管理することにより、試験対象端末（移動機）主導のＤＴＭと、ネットワーク主導のＤＴＭとの両方に対応でき、ＧＳＭ方式での音声通信とパケットデータ通信との同時通信（ＤＴＭ通信）をスムーズな接続手順で実行することができる。
【００１６】
また、パケットデータの入出力先をＴＥ層１６またはシナリオ実行部１８に切り替え可能なＳＮＤＣＰ層１５を有することにより、試験対象端末に対して、ＤＴＭ通信中に固定パケットデータによる通信試験や異常パケットによる通信異常時の試験を行うことができる。
【発明を実施するための最良の形態】
【００１７】
以下、本発明の実施の形態を図面を参照しながら具体的に説明する。図１は本発明に係るＤＴＭ通信装置を含む通信システムの機能ブロック図、図２〜図５は同装置による各種動作例を示すフローチャート、図６はＳＡＰＩ（Service Access Point Identifier ）を含むメッセージヘッダのフォーマットの概略図である。
【００１８】
図１に示す通信システム１は、本発明に係るＤＴＭ通信装置２、音声通話用送受話器としてのハンドセット３、パケットデータを送受信するサーバ４、試験対象となる移動端末等の試験対象端末５によって構築されている。
【００１９】
図１に示すように、本例のＤＴＭ通信装置２は、例えば携帯電話や端末装置等の被試験端末の擬似基地局として機能し、後述する図２〜図５に示す各動作を実行すべく、ＰＨＹ(Physical ）層１１、ＲＬＣ(Radio Link Control ）／ＭＡＣ(Medium Access Control )層１２、ＧＲＲ（ＧＰＲＳ（General Packet Radio Service） Radio Resource ）層１３、記憶部１３ａ、ＬＬＣ（Logical Link Control）層１４、ＳＮＤＣＰ（SubNetwork Dependent Convergence Protocol ）層１５、ＴＥ（Terminal Equipment）層１６、ＤＬ（Data Link ）層１７、記憶部１７ａ、シナリオ実行部１８を備えて概略構成される。
【００２０】
そして、本例のＤＴＭ通信装置２では、ＧＲＲ層１３で音声通信状態を管理し、後述する図２〜図５に示す各動作を実行することにより、試験対象端末主導のＤＴＭ通信とネットワーク主導のＤＴＭ通信の両方に対応している。
【００２１】
ＰＨＹ層１１は、伝送路上のデータ表現形式とインタフェース形状の規定をする物理層（ＯＳＩ参照モデルの最下位層）を制御する物理層制御ブロックとして機能している。このＰＨＹ層１１では、試験対象端末５と無線周波数信号により音声通信及びパケットデータ通信を行い、音声通信データとパケットデータ及び通信制御メッセージを階層構造の上位層へ出力している。
【００２２】
ＲＬＣ／ＭＡＣ層１２は、例えば相手まで確実に効率良くデータを届けるためのデータ分割、結合、再送制御、相手までデータを届けるための各通信チャネルの変換等、無線に関わるリンク制御を行う無線リンク／媒体アクセス制御ブロックとして機能している。
【００２３】
ＧＲＲ層１３は、リソース割当を含むＧＰＲＳ（General Packet Radio Service）用無線リソース管理ブロックとして機能し、メッセージ登録処理機能、受信メッセージ識別処理機能、音声通信状態チェック処理機能、メッセージ送信処理機能、パケット状態管理処理機能、パケットデータ保存処理機能を有している。
【００２４】
さらに各機能について説明すると、メッセージ登録処理機能では、後述するシナリオ１８ａから設定されたＤＴＭ通信を実現するためのＤＴＭ通信用メッセージ処理情報を含むメッセージ処理情報を記憶部１３ａに記憶している。受信メッセージ識別処理機能では、受信したメッセージをメッセージ処理情報に基づいて解析している。音声通信状態チェック処理機能では、現在の音声通信状態を確認している。メッセージ送信処理機能では、受信メッセージ識別処理機能のメッセージ解析結果と確認した音声通信状態とに則したメッセージを送信している。パケット状態管理処理機能では、パケット状態の管理を行っている。パケットデータ保存処理機能では、パケット通信開始前に受信したパケットデータを記憶部１３ａに一時的に保存している。
【００２５】
記憶部１３ａは、シナリオ実行部１８のＬ３層１８ｂから受けたＤＴＭ通信を実現するためのＤＴＭ通信用メッセージ処理情報を含むメッセージ処理情報を記憶している。このメッセージ処理情報にはＰａｃｋｅｔ  Ａｓｓｉｇｎｍｅｎｔメッセージが含まれる。具体的に、記憶部１３ａは、無線リソース管理用メッセージである「パケットチャネル割当」メッセージの雛型をメッセージセット用テーブルに登録して記憶している。また、記憶部１３ａには、シナリオ実行部１８のＬ３層１８ｂからのパケットデータ通信の要求があったときに、ＤＴＭ通信前にＧＲＲ１３層が受信したパケットデータがＧＲＲ層１３によって記憶される。尚、図１の例では、記憶部１３ａをＧＲＲ層１３とは別構成として説明しているが、記憶部１３ａがＧＲＲ層１３に含まれる構成としても良い。
【００２６】
そして、上述した各機能を有するＧＲＲ層１３では、ＰＨＹ層１１から出力されたパケットデータと通信制御メッセージをＲＬＣ／ＭＡＣ層１２を介して受けてＧＳＭ通信方式におけるデータ通信方式であるＧＰＲＳ方式用の無線リソースの割当て管理を行うと共に、後述するＬ３層１８ｂを含むシナリオ実行部１８に通信制御メッセージを送出している。パケットデータは、上位層であるＬＬＣ層１４に送出している。また、ＧＲＲ層１３は、試験対象端末５又はシナリオ実行部１８のＬ３層１８ｂからのパケットデータ通信の要求があったときに、ＤＬ層１７からの音声通信状態を確認し、音声通信状態が音声通話中である場合は記憶部１３ａに記憶されたメッセージ処理情報に応じてＤＴＭ通信を行うために無線リソース割当て処理を行っている。
【００２７】
尚、本例において、試験対象端末５からのパケットデータ通信の要求の場合は、その要求が試験対象端末５からのＤＴＭ通信を要求するためのＤＴＭ  Ｒｅｑｕｅｓｔメッセージとなる。また、シナリオ実行部１８のＬ３層１８ｂからのパケットデータ通信の要求の場合には、その要求が試験対象端末５にパケットデータ通信を行うためのプロトコル起動の要求であるＲｅｑｕｅｓｔ  ＰＤＰ  ｃｏｎｔｅｘｔ  ａｃｔｉｖａｔｉｏｎメッセージとなる。尚、ＰＤＰ（Packet Data Protocol）は、パケットデータ通信を行うためのプロトコルを示している。
【００２８】
ＬＬＣ層１４は、パケットデータ送受信時のパケット通信路を確立するためのリンク制御を行う論理リンク制御ブロックとして機能している。
【００２９】
ＳＮＤＣＰ層１５は、パケットデータ通信に係るプロトコルの整合をＤＴＭ通信装置２とネットワークとの間で制御するネットワーク統合プロトコル制御ブロックとして機能している。また、ＳＮＤＣＰ層１５は、パケットデータをサーバ４（外部ネットワークを含む）等と送受するためにＴＥ層１６との間でパケットデータを送受するか、シナリオ１８ａでパケットデータを制御することで試験対象端末１５を試験するためにシナリオ実行部１８との間でパケットデータを送受するかを、シナリオ実行部１８からの指示により選択的に切り替えることができる。これにより、本例のＤＴＭ通信装置２をＤＴＭ通信試験装置として用い、試験対象端末１５に対して、ＤＴＭ通信中に固定パケットデータによる通信試験や異常パケットによる通信異常時の試験を行うことができる。
【００３０】
ＴＥ層１６は、例えば別のＤＴＭ通信装置２、サーバ４、ハンドセット３等の外部接続機器とのインタフェースとして機能している。
【００３１】
ＤＬ層１７は、回線交換用リンク制御ブロックとして機能し、メッセージ識別処理機能、ＧＲＲ層１３への受信メッセージ通知処理機能、ＰＨＹ層１１への受信メッセージ送信処理機能を有している。
【００３２】
さらに各機能について説明すると、メッセージ識別処理機能では、受信したメッセージを解析している。ＧＲＲ層１３への受信メッセージ通知処理機能では、試験対象端末５との音声通話中であるか否かを表す音声通信状態を含め、受信したメッセージをＧＲＲ層１３へ通知している。ＰＨＹ層１１への受信メッセージ送信処理機能では、受信したメッセージをＰＨＹ層１１へ送信している。
【００３３】
記憶部１７ａは、ＰＨＹ層１１との間でやり取りされる音声通信関連メッセージやＤＴＭ通信関連メッセージ、ＧＲＲ層１３との間でやり取りされるＤＴＭ通信関連メッセージ、これら受信メッセージの解析結果等を記憶している。尚、図１の例では、記憶部１７ａをＤＬ層１７とは別構成として説明しているが、記憶部１７ａがＤＬ層１７に含まれる構成としても良い。
【００３４】
シナリオ実行部１８は、シナリオ１８ａを解析し、解析結果の手順に従って各ブロック（各レイヤ）を制御している。シナリオ１８ａは、Ｌ３（Layer ３）層１８ｂを含んでおり、例えばメッセージの設定関係、試験対象端末５に出力する周波数と信号の関係等、ＤＴＭ通信装置２と試験対象端末５との間でやり取りされる様々な通信手順を定義している。
【００３５】
次に、上記のように構成されるＤＴＭ通信装置２の具体的動作例について図２〜図５を参照しながら説明する。
【００３６】
・第１実施例
まず、ｒｅａｌｌｏｃａｔｉｏｎ無しを条件として、回線交換中にパケット要求（ＵｐＬｉｎｋ方向）があったときの発信時の具体的動作例について図２を参照しながら説明する。尚、ｒｅａｌｌｏｃａｔｉｏｎとは、音声通信チャネルのスロット位置を再設定すること意味する。
【００３７】
（１）図２に示すフローでは、試験対象端末５が音声通信、パケットデータ通信における位置登録のシーケンスを既に完了しているものとして説明している。
（２）無線リソース管理用メッセージ（ＲＲ：Radio Resource Management Message ）である「パケットチャネル割当」（Ｐａｃｋｅｔ  Ａｓｓｉｇｎｍｅｎｔ）メッセージの雛型をＤＴＭ通信用メッセージ処理情報としてＧＲＲ層１３の記憶部１３ａ上のメッセージセット用テーブルに登録する（メッセージ登録処理）。
（３）回線交換（ＣＳ：Circuit Switched）による音声通信（ＣＳ  ｄｅｄｉｃａｔｅｄ  ｍｏｄｅ）を周知のシーケンスによる手順で確立し（回線交換呼の確立）、音声通話中であることを示す「音声通信状態通知」をＤＬ層１７からＧＲＲ層１３に送信する。
尚、音声状態には、「ｌｄｌｅ」、「回線接続開始」、「回線接続完了」、「回線切断開始」等がある。また、図示しないが、実動作において、ＤＬ層１７からＧＲＲ層１３への音声通信状態の通知は、状態が変わる度に通知される。
（４）試験対象端末５側のユーザの操作（例えば、Ｗｅｂ閲覧操作やダイヤルアップによるデータ転送等）をトリガとして、試験対象端末５がＤＴＭ通信装置２に対しＤＴＭ要求（ＤＴＭ  Ｒｅｑｕｅｓｔ）を送出する。このＤＴＭ要求は、試験対象端末５からＰＨＹ層１１、ＰＨＹ層１１からＤＬ層１７に送出される。
（５）ＤＬ層１７は、試験対象端末５から受けた制御系メッセージ（図６のＳＡＰＩフォーマットにおけるＳＡＰＩに０が設定）でメッセージ種別（Ｍｅｓｓａｇｅ  Ｔｙｐｅ）がＤＴＭ要求と識別した場合は、ＤＴＭ要求をＧＲＲ層１３とシナリオ実行部１８のＬ３層１８ｂとに送信する（受信メッセージ識別処理、ＧＲＲ層１３へ受信メッセージ通知処理（チャネル割当てを要求））。
尚、ＤＴＭ要求の場合には、図６に示すフォーマットにおいて、Ａｄｄｒｅｓｓ  ｆｉｅｌｄにＳＡＰＩが設定され、Ｉｎｆｏｍａｔｉｏｎ  ｆｉｅｌｄにメッセージが入力される。
（６）Ｌ３層１８ｂは、ＤＴＭ要求に対して通信制御上の特別なアクションは必要ない。このことは、ＤＴＭの処理をＬ３層１８ｂで管理しなくて良いことを示している。
（７）ＧＲＲ層１３は、メッセージ種別がＤＴＭ要求と識別した場合、上記（３）で通知された音声通信状態のチェックを行う（受信メッセージ識別処理、音声通信状態チェック処理）。そして、音声通信状態が音声通信中であることを示す「回線接続完了」状態の場合には、上記（２）で登録した「パケットチャネル割当」メッセージに必要なパラメータを埋め込んで、ＤＬ層１７に送信する（登録メッセージ送信処理）。
（８）ＤＬ層１７は、受信した「パケットチャネル割当」メッセージをＰＨＹ層１１に送信する（ＰＨＹ層１１への受信メッセージ送信処理）。
（９）試験対象端末５は、ＰＨＹ層１１から受信した「パケットチャネル割当」で指定されたチャネルにパケットを割当て、上り方向のパケットチャネルの割当てを行う。
（１０）ＰＨＹ層１１は、「パケットチャネル割当」を試験対象端末５に送信完了したことを示す「パケットチャネル割当」送信完了通知をＧＲＲ層１３に送信する（ＧＲＲ層１３への通知処理）。
（１１）ＧＲＲ層１３は、「パケットチャネル割当」送信完了通知を受けて、パケットデータ通信ができる状態に遷移する（パケット状態管理処理）。
（１２）試験対象端末５とＤＴＭ通信装置２との間でＤＴＭ通信が確立する（上り（ＵｐＬｉｎｋ）チャネルのみ）
（１３）図示はしないが、以降、下り（ＤｏｗｎＬｉｎｋ）方向の「パケットチャネル割当」は、通常のパケットデータ通信におけるパケットチャネル割当てシーケンスを行うことで実現する。
【００３８】
ところで、図２におけるＰＨＹ層１１は、試験対象端末５に「パケットチャネル割当」を送信した後に「パケットチャネル割当」送信完了通知をＧＲＲ層１３に送信しているが、この処理に限定されるものではない。例えばＰＨＹ層１１が試験対象端末５に「パケットチャネル割当」の送信と同時に「パケットチャネル割当」送信完了通知をＧＲＲ層１３に送信しても良い。また、別の方法として、試験対象端末５が「パケットチャネル割当」で指定されたチャネルにパケットを割当てた後、試験対象端末５から「パケットチャネル割当」送信完了通知をＧＲＲ層１３に送信する構成とすることもできる。
【００３９】
さらに、図２は「ｒｅａｌｌｏｃａｔｉｏｎ無し」を条件とした時の動作であるが、「ｒｅａｌｌｏｃａｔｉｏｎ有り」を条件とした場合は、図２の処理において以下の点が異なる。尚、「ｒｅａｌｌｏｃａｔｉｏｎ有り」とは、パケットチャネル割当てに伴い、音声通信チャネルも再割り当てすることを意味している。
【００４０】
「ｒｅａｌｌｏｃａｔｉｏｎ有り」を条件とした場合は、図２における（７）〜（１１）間の「パケットチャネル割当」の代わりに、「ＤＴＭ割当」が送信される。尚、図２において、「ＤＴＭ割当」に関するメッセージセットも（２）の「パケットチャネル割当」メッセージセットに含まれる。
【００４１】
・第２実施例
次に、ｒｅａｌｌｏｃａｔｉｏｎ無しを条件として、回線交換中にパケット要求（ＤｏｗｎＬｉｎｋ方向）があったときの着信時の具体的動作例について図３を参照しながら説明する。尚、ｒｅａｌｌｏｃａｔｉｏｎとは、音声通信チャネルのスロット位置を再設定すること意味する。
【００４２】
（１）図３に示すフローでは、試験対象端末５が音声通信、パケットデータ通信における位置登録のシーケンスを既に完了しているものとして説明している。
（２）無線リソース管理用メッセージ（ＲＲ：Radio Resource Management Message ）である「パケットチャネル割当」（Ｐａｃｋｅｔ  Ａｓｓｉｇｎｍｅｎｔ）メッセージの雛型をＤＴＭ通信用メッセージ処理情報としてＧＲＲ層１３の記憶部１３ａ上のメッセージセット用テーブルに登録する（メッセージ登録処理）。
（３）回線交換（ＣＳ：Circuit Switched）による音声通信（ＣＳ  ｄｅｄｉｃａｔｅｄ  ｍｏｄｅ）を周知のシーケンスによる手順で確立し（回線交換呼の確立）、音声通話中であることを示す「音声通信状態通知」をＤＬ層１７からＧＲＲ層１３に送信する。
尚、音声状態には、「ｌｄｌｅ」、「回線接続開始」、「回線接続完了」、「回線切断開始」等がある。また、図示しないが、実動作において、ＤＬ層１７からＧＲＲ層１３への音声通信状態の通知は、状態が変わる度に通知される。
（４）シナリオ１８ａに記述された動作に従い、ＤＴＭ通信装置２はデータ送信を開始する。そして、Ｌ３層１８ｂからＬＬＣ層１４にデータ（例えば、Ｒｅｑｕｅｓｔ  ＰＤＰ  ｃｏｎｔｅｘｔ  ａｃｔｉｖａｔｉｏｎや実データ）を送信する。
尚、ＰＤＰ（Packet Data Protocol）はパケットデータ通信を行うためのプロトコルであり、ＧＰＲＳではＳＮＤＰにて上位リンクに提供するインターフェースとしてのＮＳＡＰＩ（Network Service Access Point Identifier ）と関連付けて使用する。
（５）ＬＬＣ層１４は、受信したメッセージをＧＲＲ層１３に送信する（ＧＲＲ層１３への受信メッセージ送信処理）。
（６）ＧＲＲ層１３は、メッセージ種別（Ｍｅｓｓａｇｅ  Ｔｙｐｅ）がパケットデータ通信要求（Ｒｅｑｕｅｓｔ  ＰＤＰ  ｃｏｎｔｅｘｔ  ａｃｔｉｖａｔｉｏｎ）と識別した場合は、上記（３）で通知された音声通信状態のチェックを行う（音声通信状態チェック処理）。そして、音声通信状態が音声通信中であることを示す「回線接続完了」状態の場合には、上記（２）で登録した「パケットチャネル割当」メッセージに必要なパラメータを埋め込んで、ＤＬ層１７に送信する（登録メッセージ送信処理）。
このとき、ＧＲＲ層１３は、受信したパケットデータ通信要求をパケットデータ通信可能状態になるまで一時的に保存する（パケットデータ保存処理）。
（７）ＤＬ層１７は、受信した「パケットチャネル割当」メッセージをＰＨＹ層１１に送信する（ＰＨＹ層１１への受信メッセージ送信処理）。
（８）試験対象端末５は、ＰＨＹ層１１から受信した「パケットチャネル割当」で指定されたチャネルにパケットを割当て、下り方向のパケットチャネルの割当てを行う。
（９）ＰＨＹ層１１は、「パケットチャネル割当」を試験対象端末５に送信完了したことを示す「パケットチャネル割当」送信完了通知をＧＲＲ層１３に送信する（ＧＲＲ層１３への通知処理）。
（１０）ＧＲＲ層１３は、「パケットチャネル割当」送信完了通知を受けて、パケットデータ通信ができる状態に遷移する（パケット状態管理処理）。さらに、一時的に保存していたデータ送信（例えば、Ｒｅｑｕｅｓｔ  ＰＤＰ  ｃｏｎｔｅｘｔ  ａｃｔｉｖａｔｉｏｎや実データ）をＰＨＹ層１１を通じて試験対象端末５に送信する（保存されたパケットデータ送信処理）。
（１１）試験対象端末５とＤＴＭ通信装置２との間でＤＴＭ通信が確立する（下り（ＤｏｗｎＬｉｎｋ）チャネルのみ）。
（１２）図示はしないが、以降、上り（ＵｐＬｉｎｋ）方向の「パケットチャネル割当て」は、通常のパケットデータ通信におけるパケットチャネル割当てシーケンスを行うことで実現する。
【００４３】
ところで、図３におけるＰＨＹ層１１は、試験対象端末５に「パケットチャネル割当」を送信した後に「パケットチャネル割当」送信完了通知をＧＲＲ層１３に送信しているが、この処理に限定されるものではない。例えばＰＨＹ層１１が試験対象端末５に「パケットチャネル割当」の送信と同時に「パケットチャネル割当」送信完了通知をＧＲＲ層１３に送信しても良い。また、別の方法として、試験対象端末５が「パケットチャネル割当」で指定されたチャネルにパケットを割当てた後、試験対象端末５から「パケットチャネル割当」送信完了通知をＧＲＲ層１３に送信する構成とすることもできる。
【００４４】
さらに、図３は「ｒｅａｌｌｏｃａｔｉｏｎ無し」を条件とした時の動作であるが、「ｒｅａｌｌｏｃａｔｉｏｎ有り」を条件とした場合は、図３の処理において以下の点が異なる。尚、「ｒｅａｌｌｏｃａｔｉｏｎ有り」とは、パケットチャネル割当てに伴い、音声通信チャネルも再割り当てすることを意味している。
【００４５】
「ｒｅａｌｌｏｃａｔｉｏｎ有り」を条件とした場合は、図３における（６）〜（１０）間の「パケットチャネル割当」の代わりに、「ＤＴＭ割当」が送信される。尚、図３において、「ＤＴＭ割当」に関するメッセージセットも上記（２）の「パケットチャネル割当」メッセージセットに含まれる。
【００４６】
・第３実施例
次に、パケットデータ通信中に回線要求があったときの発信時又は着信時の具体的動作例について図４及び図５を参照しながら説明する。
【００４７】
（１）図４及び図５に示すフローでは、試験対象端末５が音声通信、パケットデータ通信における位置登録のシーケンスを既に完了しているものとして説明している。
（２）無線リソース管理用メッセージ（ＲＲ：Radio Resource Management Message ）である「パケットチャネル割当」（Ｐａｃｋｅｔ  Ａｓｓｉｇｎｍｅｎｔ）メッセージの雛型をＤＴＭ通信用メッセージ処理情報としてＧＲＲ層１３の記憶部１３ａ上のメッセージセット用テーブルに登録する（メッセージ登録処理）。
（３）パケットデータ通信を周知のシーケンスによる手順で確立する（パケット通信状態）。
（４）試験対象端末５側のユーザの操作（例えば、相手先番号ダイヤル等）をトリガとして（回線接続トリガ発生）、試験対象端末５がＤＴＭ通信装置２に対し音声通信チャネル割当要求（Ｃｈａｎｎｅｌ  Ｒｅｑｕｅｓｔ）を送出する（発信の場合）。
試験対象端末５がＤＴＭ通信装置２のＬ３層１８ｂから音声着信（Ｐａｃｋｅｔ  Ｐａｇｉｎｇ  Ｒｅｑｕｅｓｔ）を受けた場合も、試験対象端末５がＤＴＭ通信装置２に対し音声通信チャネル割当要求を送出する（着信の場合）。
（５）ＤＬ層１７は、試験対象端末５から受けた情報が、音声通信チャネル割当要求と識別した場合は、その内容をＧＲＲ層１３とＬ３層１８ｂとに送信する（メッセージ識別処理、ＧＲＲ層１３への受信メッセージ通知処理）。
（６）ＧＲＲ層１３は、メッセージ種別（Ｍｅｓｓａｇｅ  Ｔｙｐｅ）が音声通信チャネル割当要求と識別した場合は、音声通信状態が「回線接続開始」と認識する（メッセージ識別処理、音声通信状態チェック処理）。以降、ＤＴＭ通信開始までは、ＧＲＲ層１３が受け取ったパケット送信データは、ドントケア状態となる（パケット通信中断）。尚、ＧＲＲ層１３の記憶部１３ａに記憶してＤＴＭ通信開始時に送信しても良い。
（７）Ｌ３層１８ｂは、音声通信チャネル割当要求を受けて、シナリオ１８ａに記述された動作手順に従って、音声通信チャネル即時割当（Ｉｍｍｅｄｉａｔｅ  Ａｓｓｉｇｎｍｅｎｔ）をＤＬ層１７に送信する。
（８）ＤＬ層１７は、受信した音声通信チャネル即時割当をＰＨＹ層１１を経由して試験対象端末５に送信する（ＰＨＹ層１１への受信メッセージ送信処理）。
（９）Ｌ３層１８ｂは、シナリオ１８ａに記述された動作手順に従って、使用する音声通信チャネルを指定するため、音声通信チャネル割当指示（Ａｓｓｉｇｎｍｅｎｔ  Ｃｏｍｍａｎｄ）をＤＬ層１７に送信する。
（１０）ＤＬ層１７は、受信した音声通信チャネル割当指示をＰＨＹ層１１を経由して試験対象端末５に送信する（ＰＨＹ層１１への受信メッセージ送信処理）。
（１１）試験対象端末５は、音声通信チャネル割当指示に従い、音声通信チャネルを割当て、処理の完了を示す音声通信チャネル割当完了（Ａｓｓｉｇｎｍｅｎｔ  Ｃｏｍｐｌｅｔｅ）をＤＴＭ通信装置２に送信する。
（１２）ＤＬ層１７は、試験対象端末５から受けた情報が音声通信チャネル割当完了と識別した場合、その内容をＧＲＲ層１３とＬ３層１８ｂとに送信する（メッセージ識別処理、ＧＲＲ層１３への受信メッセージ通知処理）。
（１３）ＧＲＲ層１３は、ＤＬ層１７から受けたメッセージが音声通信チャネル割当完了と識別した場合、音声状態が「回線接続完了」と認識する（メッセージ識別処理、音声通信状態チェック処理）。
（１４）図示はしないが、以降のシーケンスは、図２に示す「回線交換中にパケット要求（ＵｐＬｉｎｋ）があったときの発信時の具体的動作例」の（４）における試験対象端末５からのＤＴＭ要求送信へ移行する。
【００４８】
このように、本例のＤＴＭ通信装置２では、ＧＳＭ通信方式で通信を行う試験用端末５に対して音声通信とパケットデータ通信との同時通信であるＤＴＭ通信を行うにあたって、音声通話中にパケットデータ通信の必要が生じた際、ＧＲＲ層１３で音声通信状態を管理し、上述した図２〜図５に示す動作を実行している。これにより、試験対象端末（移動機）主導のＤＴＭと、ネットワーク主導のＤＴＭとの両方に対応でき、ＧＳＭ方式での音声通信とパケットデータ通信との同時通信（ＤＴＭ通信）をスムーズな接続手順で実行することができる。
【００４９】
ところで、図１の例では、シナリオ実行部１８がＤＴＭ通信装置２に含まれる構成として図２〜図５に示す動作を実行するものとして説明したが、シナリオ実行部１８のみをＤＴＭ通信装置２とは別体の装置（例えばＤＴＭ通信装置２に接続可能な外部の端末装置）に含まれる構成としても、上述した実施形態と同様に動作させることができる。
【００５０】
また、上記実施の形態では、ＤＴＭ通信装置２（２Ａ）にハンドセット３、サーバ４、試験対象端末５を接続した場合の構成について説明したが、図１の括弧内の破線で示すように、試験対象端末５が接続されたＤＴＭ通信装置２（２Ａ）に対し、さらに試験済又は基準となる対向試験用端末（移動機や端末装置）２５が接続された別のＤＴＭ通信装置２（２Ｂ）を接続すれば、２台のＤＴＭ通信装置２Ａ，２Ｂを中継して試験対象端末５と対向試験用端末２５との間で対向試験を行うこともできる。
【図面の簡単な説明】
【００５１】
【図１】本発明に係る本発明に係るＤＴＭ通信装置を含む通信システムの機能ブロック図である。
【図２】本発明に係るＤＴＭ通信装置の処理動作例であって、回線交換中にｒｅａｌｌｏｃａｔｉｏｎ無しでパケット要求（Ｕ／Ｌ）があったときの発信時の具体的動作例を示すフローチャートである。
【図３】本発明に係るＤＴＭ通信装置の処理動作例であって、回線交換中にｒｅａｌｌｏｃａｔｉｏｎ無しでパケット要求（Ｕ／Ｌ）があったときの着信時の具体的動作例を示すフローチャートである。
【図４】本発明に係るＤＴＭ通信装置の処理動作例であって、パケットデータ通信中に回線要求があったときの発信時又は着信時の具体的動作例を示すフローチャートである。
【図５】図４の処理動作の続きを示すフローチャートである。
【図６】ＳＡＰＩを含むメッセージヘッダのフォーマットの概略図である。
【符号の説明】
【００５２】
１  通信システム
２（２Ａ，２Ｂ）  ＤＴＭ通信装置
３  ハンドセット
４  サーバ
５  試験対象端末
１１  ＰＨＹ層
１２  ＲＬＣ／ＭＡＣ層
１３  ＧＲＲ層
１３ａ  記憶部
１４  ＬＬＣ層
１５  ＳＮＤＣＰ層
１６  ＴＥ層
１７  ＤＬ層
１７ａ  記憶部
１８  シナリオ実行部
１８ａ  シナリオ
１８ｂ  Ｌ３層
２５  対向試験用端末
【図１】
2007208722.tif 000003
【図２】
2007208722.tif 000004
【図３】
2007208722.tif 000005
【図４】
2007208722.tif 000006
【図５】
2007208722.tif 000007
【図６】
2007208722.tif 000008